(57)【要約】【課題】大量の古紙を収容可能であり、簡便かつ安全に利用可能な古紙収容施設を提供する。【解決手段】大量の古紙が収容されるコンテナ１１を有する古紙収容部１と、利用者により古紙がコンテナ１１に投入される古紙投入部２と、利用者が操作可能なタッチパネル３１を有するコントロール装置３と、古紙収容部１、古紙投入部２、及びコントロール装置３が屋内に設けられる建屋４とを備え、古紙の重量に応じた付与ポイントが付与される古紙回収施設である。古紙投入部２は、コンテナ１１の側面に隣接して設けられる投入台２１の上面２１ａと建屋４の床面４ａとの間を昇降可能に設けられた階段２２とを有している。また、投入台２１のコンテナ１１側の端部には、利用者の転落を防止する転落防止柵２５がコンテナ１１の側面と平行に設けられている。【選択図】図２
2017081667.tif 000002
【特許請求の範囲】
【請求項１】
大量の古紙が収容されるコンテナを有する古紙収容部と、利用者により該古紙が該コンテナに投入される古紙投入部と、該利用者が操作可能なタッチパネルを有するコントロール装置と、該古紙収容部、該古紙投入部、及び該コントロール装置が屋内に設けられる建屋とを備え、該古紙の重量に応じた付与ポイントが付与される古紙回収施設であって、
該古紙投入部は、該コンテナの側面に隣接して設けられる投入台と、該投入台の上面と該建屋の床面との間を昇降可能に設けられた階段と、を有し、
該投入台の該コンテナ側の端部には、該利用者の転落を防止する転落防止柵が該コンテナの側面と平行に設けられていることを特徴とする古紙回収施設。
【請求項２】
前記古紙収容部には、前記コンテナを載置して該コンテナの重量を計量する重量計が設けられ、
該重量計のプレートには、該コンテナを案内する長尺状の一対のガイドと、該コンテナの進行を阻止するストッパとが設けられ、
該両ガイドは平行、又は略平行に配置され、該両ガイドの後端には該ストッパが該両ガイドと垂直に配置され、該両ガイドは先端に向かうに従って該両ガイド間の距離が長くなっていることを特徴とする請求項１記載の古紙回収施設。
【請求項３】
前記古紙収容部には、前記コンテナを載置して該コンテナの重量を計量する重量計が設けられ、
前記建屋の床面には、該コンテナを案内する長尺状の一対のガイドと、該コンテナの進行を阻止するストッパとが設けられ、
該両ガイドは平行、又は略平行に配置され、該両ガイドの後端には該ストッパが該両ガイドと垂直に配置され、該両ガイドは先端に向かうに従って該両ガイド間の距離が長くなっていることを特徴とする請求項１記載の古紙回収施設。
【請求項４】
前記付与ポイントは、古紙回収施設の設置店において用いられる設置店用ポイントと、寄付に供される寄付用ポイントとからなり、
前記利用者は、前記タッチパネルより、該付与ポイントを設置店用ポイント、又は寄付用ポイントのいずれかに加算するかを選択可能であることを特徴とする請求項１乃至３のいずれか１項記載の古紙回収施設。
【発明の詳細な説明】
【技術分野】
【０００１】
本発明は、古紙の重量に応じたポイントが付与される古紙回収施設に関する。
【背景技術】
【０００２】
近年、古紙回収率の向上を図ることにより、環境保全を推進して循環型社会を形成すべく、いろいろな古紙回収装置や古紙回収施設が提案されている。このような古紙回収装置や古紙回収施設として、例えば、特許文献１、２に示すものがある。
【０００３】
特許文献１に示す古紙回収装置は、古紙の回収量に応じたポイントが発行され、そのポイントに応じたキャッシュバック等の利益が還元されるものである。これにより、利用者にとっては古紙回収に協力したことによる対価を得ることができるため、さらなる古紙提供の動機付けとなり古紙回収率の向上を図ることができる。一方、この古紙回収装置を設置するスーパーマーケット等の設置店にとっては、ポイントによる優遇を受けるために来店する顧客の増加が見込まれるため、商品の販売を促進する有効な手段の１つとして利用することができる。
【０００４】
また、特許文献２に示す古紙回収施設は、上部を内側に折曲した壁で取り囲まれた施設の構内に、利用者が古紙類を種類毎に分別して置く置場、利用者の到着を検知するセンサ、及び利用者に古紙等の分別方法を知らせるアナウンス手段を備えたものである。この古紙回収施設によれば、壁の上部が内側に折曲しているため、強風の日であっても古紙類が飛散することがない。また、大型の置場を設置することができるため、大量の古紙類を収容することができる。さらに、アナウンス手段を備えるため、誤った分別を抑制することができる。
【先行技術文献】
【特許文献】
【０００５】
【特許文献１】特開２００８−１４６４２８号公報
【特許文献２】特開２００９−１４３７１５号公報
【発明の概要】
【発明が解決しようとする課題】
【０００６】
しかし、上記特許文献１記載の古紙回収装置では、収容コンテナが筐体に内蔵されているため、大量の古紙を収容することは不可能である。また、上記特許文献２記載の古紙回収施設では、大量の古紙を収容することができるものの、利用者は大型の置場に古紙を投入しなければならない。そのため、利用者は古紙を高い位置まで持ち上げてから置場に投入しなければならず容易でない上、古紙が利用者に落下して危険を伴う場合も起こり得る。
【０００７】
本発明はかかる従来の問題点に鑑みてなされたものであり、大量の古紙を収容可能であり、簡便かつ安全に利用可能な古紙収容施設を提供するものである。
【課題を解決するための手段】
【０００８】
上記の課題を解決するために、請求項１に係る古紙収容施設の特徴は、大量の古紙が収容されるコンテナを有する古紙収容部と、利用者により該古紙が該コンテナに投入される古紙投入部と、該利用者が操作可能なタッチパネルを有するコントロール装置と、該古紙収容部、該古紙投入部、及び該コントロール装置が屋内に設けられる建屋とを備え、該古紙の重量に応じた付与ポイントが付与される古紙回収施設であって、該古紙投入部は、該コンテナの側面に隣接して設けられる投入台と、該投入台の上面と該建屋の床面との間を昇降可能に設けられた階段と、を有し、該投入台の該コンテナ側の端部には、該利用者の転落を防止する転落防止柵が該コンテナの側面と平行に設けられていることである。
【０００９】
請求項２に係る古紙収容施設の特徴は、前記古紙収容部には、前記コンテナを載置して該コンテナの重量を計量する重量計が設けられ、該重量計のプレートには、該コンテナを案内する長尺状の一対のガイドと、該コンテナの進行を阻止するストッパとが設けられ、該両ガイドは平行、又は略平行に配置され、該両ガイドの後端には該ストッパが該両ガイドと垂直に配置され、該両ガイドは先端に向かうに従って該両ガイド間の距離が長くなっていることである。
【００１０】
請求項３に係る古紙収容施設の特徴は、前記古紙収容部には、前記コンテナを載置して該コンテナの重量を計量する重量計が設けられ、前記建屋の床面には、該コンテナを案内する長尺状の一対のガイドと、該コンテナの進行を阻止するストッパとが設けられ、該両ガイドは平行、又は略平行に配置され、該両ガイドの後端には該ストッパが該両ガイドと垂直に配置され、該両ガイドは先端に向かうに従って該両ガイド間の距離が長くなっていることである。
【００１１】
請求項４に係る古紙収容施設の特徴は、前記付与ポイントは、古紙回収施設の設置店において用いられる設置店用ポイントと、寄付に供される寄付用ポイントとからなり、前記利用者は、前記タッチパネルより、該付与ポイントを設置店用ポイント、又は寄付用ポイントのいずれかに加算するかを選択可能であることである。
【発明の効果】
【００１２】
請求項１に係る古紙収容施設では、建屋内に設けられた古紙回収用のコンテナを大型化することができるため、大量の古紙を収容することができる。また、利用者は、古紙を持って階段を上って投入台の上に立ち、その位置からコンテナの中に古紙を投入することができる。そのため、古紙を高い位置に持ち上げてからコンテナの中に投入する必要がなく、簡単かつ便利に施設を利用することができる。そのうえ、古紙が利用者に落下することがなく、安全に施設を利用することができる。
【００１３】
さらには、投入台のコンテナ側の端部には、利用者の転落を防止する転落防止柵がコンテナの側面と平行に設けられているため、より安全に施設を利用することができる。したがって、この古紙収容施設によれば、大量の古紙を収容可能であり、簡便かつ安全に利用することができる。また、この古紙収容施設は建屋に覆われているため、見栄えもよく景観を損なうことがない上、強風の日であっても古紙が散乱することがない。さらに、雨や雪の日に古紙、利用者とも濡れることがなく、利用者は古紙回収施設を快適に利用することができる。
【００１４】
請求項２に係る古紙収容施設では、重量計のプレートにコンテナを案内する長尺状の一対のガイドとコンテナの進行を阻止するストッパが設けられている。そして、両ガイドは平行、又は略平行に配置され、両ガイドの後端にはストッパが両ガイドと垂直に配置されている。さらに、両ガイドは先端に向かうに従って両ガイド間の距離が長くなっている。これにより、コンテナをガイドに沿って容易に移動させることができるとともに、ストッパによりコンテナの停止位置を一定にすることができ、コンテナを確実に所定の位置に載置することができる。また、コンテナと投入台との隙間を適切に保つことができるため、利用者が古紙をコンテナに投入し易くなるとともに、利用者の転落や古紙の落下を防止することができる。さらに、コンテナの搬入、搬出に際し、コンテナが投入台や建屋の壁面に接触するのを防止することができるのみならず、能率的な作業をすることができる。特に、雨の日や雪の日はコンテナが滑りやすいため、これらの効果は絶大である。
【００１５】
請求項３に係る古紙収容施設では、建屋の床面にコンテナを案内する長尺状の一対のガイドとコンテナの進行を阻止するストッパが設けられている。そして、両ガイドは平行、又は略平行に配置され、両ガイドの後端にはストッパが両ガイドと垂直に配置されている。さらに、両ガイドは先端に向かうに従って両ガイド間の距離が長くなっている。これにより、コンテナをガイドに沿って容易に移動させることができるとともに、ストッパによりコンテナの停止位置を一定にすることができ、コンテナを確実に所定の位置に載置することができる。また、コンテナと投入台との隙間を適切に保つことができるため、利用者が古紙をコンテナに投入し易くなるとともに、利用者の転落や古紙の落下を防止することができる。さらに、コンテナの搬入、搬出に際し、コンテナが投入台や建屋の壁面に接触するのを防止することができるのみならず、能率的な作業をすることができる。特に、雨の日や雪の日はコンテナが滑りやすいため、これらの効果は絶大である。
【００１６】
請求項４に係る古紙収容施設では、利用者はタッチパネルより、付与ポイントを設置店用ポイント、又は寄付用ポイントのいずれかに加算するかを選択可能である。利用者が設置店用ポイントを選択した場合は、古紙提供の対価を設置店用ポイントの増加として得ることができ、さらなる古紙提供の動機付けとなる。また、寄付用ポイントを選択した場合は、増加した寄付用ポイントにより地域への貢献に寄与することができるという満足感を得ることができ、古紙提供の意義付けとなる。
【図面の簡単な説明】
【００１７】
【図１】実施形態の古紙収容施設の外観図。
【図２】実施形態の古紙収容施設の内部概略図。
【図３】実施形態の古紙収容施設に係り、図２のＩＩＩ―ＩＩＩ矢視図。
【図４】実施形態の古紙収容施設に係り、図３のＩＶ―ＩＶ矢視図。
【図５】実施形態の古紙収容施設に係り、重量計の計量板の正面図。
【図６】実施形態の古紙収容施設に係り、重量計の計量板の正面図。
【図７】実施形態の古紙収容施設に係り、古紙収容部の平面図。
【図８】実施形態の古紙収容施設に係り、図７のＶＩＩＩ―ＶＩＩＩ矢視断面図。
【図９】実施形態の古紙収容施設に係り、古紙回収システムと販売管理システムとのシステム構成図。
【図１０】実施形態の古紙収容施設に係り、コントロール装置の操作手順を示すフローチャート。
【発明を実施するための形態】
【００１８】
本発明に係る古紙収容施設を具体化した実施形態を図面に基づいて以下に説明する。図１は、この古紙収容施設の外観図である。図１に示すように、古紙収容施設は、シャッター４１、引戸４２、外灯４３、スポットライト４４を備えた建屋４に覆われている。そして、この建屋４内に後述する古紙収容部１、古紙投入部２、コントロール装置３が設けられている。シャッター４１は、古紙収容部１の後述するコンテナ１１の搬入、搬出時に開閉される。引戸４２は、利用者の建屋４への出入りを可能にするとともに、不審者の建屋４への侵入を防止する。すなわち、日中においては引戸４２を開いて建屋４への利用者の出入を可能にし、夜間においては引戸４２を閉じて施錠すれば建屋４への不審者の侵入を防止することができる。外灯４３、スポットライト４４は、夜間において古紙収容施設の安全を確保するために設けられている。この古紙収容施設は建屋４に覆われているため、見栄えもよく景観を損なうことがない上、強風の日であっても古紙が散乱することがない。さらに、雨や雪の日に古紙、利用者とも濡れることがなく、利用者は古紙回収施設を快適に利用することができる。なお、本実施形態においては、古紙収容施設の設置店をスーパーマーケットとしている。
【００１９】
図２は、建屋４の内部概略図である。また、図３は図２におけるＩＩＩ−ＩＩＩ矢視図であり、図４は図３におけるＩＶ―ＩＶ矢視図である。図２〜図４に示すように、壁面４ｂで覆われた建屋４内には、古紙収容部１、古紙投入部２、及びコントロール装置３が設けられている。また、壁面４ｂには、建屋４内の様子を知ることができるように、カメラ４ｃが取付けられている。さらに、引戸４２の開閉に伴って引戸４２自体が移動する壁面４ｂ付近には、壁面４ｂと平行に接触防止柵（図示なし）が床面４ａに立設されている。この接触防止柵により、ダンボール等の古紙以外の回収物や古紙運搬台車等が壁面４ｂと接触するのを防止することができ、引戸４２の開閉が妨げられることがない。
【００２０】
古紙収容部１は、コンテナ１１と重量計１２とを有している。コンテナ１１は上方が開放された箱型のボディ１１ａを有し、ボディ１１ａの外面には係止部１１ｂが設けられている。このボディ１１ａは大量の古紙を収容可能な大型のものであり、その底面には２つの車輪（図示なし）が取付けられている。また、係止部１１ｂにはコンテナ運搬車両（図示なし）のアームフックが係止され、コンテナ運搬車両によりコンテナ１１が建屋４内へ搬入、搬出される。重量計１２は、そのプレート１３上にコンテナ１１を載置して、古紙の収容されたコンテナ１１全体の重量を計量するものである。
【００２１】
古紙投入部２は、投入台２１、階段２２、転落防止柵２５、及び手摺２６を有している。投入台２１は、コンテナ１１の側面に隣接して、建屋４の床面４ａに立設されている。そして、投入台２１は、その上面２１ａから利用者がコンテナ１１内に古紙を簡単に投入できるだけの高さが確保されている。階段２２は、利用者が投入台２１の上面２１ａに昇降できるように、投入台２１の上面２１ａと建屋４の床面４ａとの間に設けられている。転落防止柵２５は、コンテナ１１の側面と平行に、投入台２１のコンテナ１１側の端部に設けられている。この転落防止柵２５により、利用者のコンテナ１１と投入台２１との間への転落が防止される。手摺２６は、階段２２の両端部に設けられ、投入台２１の上面２１ａへの利用者の昇降の補助にされるとともに、階段２２からの利用者の転落を防止するものである。
【００２２】
コントロール装置３は、古紙回収施設の古紙回収システムを制御するものであり、前面にタッチパネル３１、カード挿入口３２が配置されている。利用者は、この古紙回収施設の設置店の後述するカード６をカード挿入口３２に挿入可能であるとともに、タッチパネル３１の表示に従い必要な操作をすることができる。なお、利用者が提供した古紙の重量に応じ付与ポイントが与えられるが、利用者はタッチパネルより、付与ポイントを設置店用ポイントとしてのスーパーマーケット用ポイント、又は寄付用ポイントのいずれにするかを選択することができる。ここで、スーパーマーケット用ポイントとは、この古紙回収施設の設置店であるスーパーマーケットのカード６で使用されるポイントである。また、寄付用ポイントとは、例えば教育委員会への寄付に供されるポイントである。
【００２３】
図５に示すように、重量計１２のプレート１３上には、一対のガイド１４、１５とストッパ１８とが溶接により固着されている。ガイド１４、１５は長尺状をなし、略平行、かつコンテナ１１の２つの車輪の幅より少し広く配置されている。詳細には、ガイド１４は投入台２１に設けられた転落防止柵２５と平行に配置され、ガイド１５は先端１５ａに向かって全体として緩やかにガイド１４との距離が長くなっている。このガイド１４、１５のプレート１３からの高さは、コンテナ１１の車輪の頂部より少し低くなっている。そのため、ガイド１４、１５がコンテナ１１の車輪を案内することにより、コンテナ１１全体が案内されるようになっている。また、ガイド１４、１５の後端１４ｂ、１５ｂには、ストッパ１８がガイド１４と垂直に配置されている。このストッパ１８により、コンテナ１１の進行が阻止され、コンテナ１１の停止位置を一定にすることができる。また、ガイド１４、１５は、先端１４ａ、１５ａに向かうに従ってガイド１４、１５間の距離が長くなっていることから、コンテナ１１をガイド１４、１５に沿って簡単に移動させることができるとともに、コンテナ１１と投入台２１との隙間を適切に保つことができる。
【００２４】
また、図６に示すように、重量計１２のプレート１３上に、一対のガイド１６、１７とストッパ１８とを溶接により固着して配置してもよい。ガイド１６、１７は長尺状をなし、両者ともに投入台２１に設けられた転落防止柵２５と平行に配置されている。そして、ガイド１６、１７のプレート１３からの高さは、コンテナ１１の車輪の頂部より少し低くなっている。また、ガイド１６、１７の後端１６ｂ、１７ｂには、ストッパ１８がガイド１６、１７と垂直に配置されている。さらに、ガイド１６、１７の先端部のみが先端１６ａ、１７ａに向かうに従ってガイド１６、１７間の距離が長くなっている。これによっても、コンテナ１１をガイド１６、１７に沿って簡単に移動させることができるとともに、コンテナ１１と投入台２１との隙間を適切に保つことができる。
【００２５】
さらに、図７、及び図８に示すように、一対のガイド１４、１５とストッパ１８とを配置することもできる。ガイド１４、１５は、図５に示したものと同様の形状のものである。ただし、図５の場合と異なり、ガイド１４、１５は建屋４の床面４ａ上に配置されている。詳細には、ガイド１４は投入台２１に設けられた転落防止柵２５と平行に配置され、ガイド１５は先端１５ａに向かって全体として緩やかにガイド１４との距離が長くなっている。そして、建屋４の床面４ａにはガイド１４、１５の対向する面に沿って垂直に段差が設けられ、この段差内に重量計１２が設置されている。また、重量計１２のプレート１３ａは、ガイド１４、１５の対向する面に沿った形状で、かつガイド１４、１５の間の長さより僅かに短い幅になっている。すなわち、プレート１３ａは、前方に向かうにしたがって次第に広がっていく形状をしている。
【００２６】
ガイド１４、１５のプレート１３からの高さは、コンテナ１１の車輪の頂部より少し低くなっている。そのため、ガイド１４、１５がコンテナ１１の車輪を案内することにより、コンテナ１１全体が案内されるようになっている。また、ガイド１４、１５の後端１４ｂ、１５ｂには、ストッパ１８がガイド１４と垂直に配置されている。このストッパ１８により、コンテナ１１の進行が阻止され、コンテナ１１の停止位置を一定にすることができる。また、ガイド１４、１５は、先端１４ａ、１５ａに向かうに従ってガイド１４、１５間の距離が長くなっていることから、コンテナ１１をガイド１４、１５に沿って簡単に移動させることができるとともに、コンテナ１１と投入台２１との隙間を適切に保つことができる。なお、ガイド１４、１５の替わりに図６に示すガイド１６、１７を採用してもよい。
【００２７】
次に、古紙回収施設の古紙回収システム、及び古紙回収施設の設置店であるスーパーマーケットの販売管理システムについて図９に示すシステム構成図を用いて説明する。図９に示すように、古紙回収施設の古紙回収システム６０は、インターネットＮ１にコントロール装置３、サーバ６１、パーソナルコンピュータ６２、タブレット６３、スマートフォン６４等が接続されている。コントロール装置３内のデータやカメラ４ｃにより撮影された画像がサーバ６１に送信され、サーバ６１から、パーソナルコンピュータ６２、タブレット６３、スマートフォン６４等へ送信することができる。したがって、古紙回収施設の管理者は、パーソナルコンピュータ６２、タブレット６３、スマートフォン６４等から随時、回収された古紙の総重量、カメラ４ｃにより撮影された画像等を知ることができる。
【００２８】
また、スーパーマーケットのＰＯＳシステム等の販売管理システム７０は、ネットワークＮ２にオフィスサーバ７１、及び多数のレジスタ端末７２が接続されている。この販売管理システム７０と古紙回収システム６０とは、通信回線等で接続されることなく互いに独立している。販売管理システム７０の各レジスタ端末７２は、カードリーダ及びカードライタを備えている。このレジスタ端末７２により、スーパーマーケット専用のカード６の読取り、書込みがされる。また、このカード６は、古紙回収システム６０のコントロール装置３により読取り、書込みも可能である。すなわち、カード６を販売管理システム７０と古紙回収システム６０との両方で共有している。このようにしているため、利用者はカード保有数を少なくすることができる。
【００２９】
また、利用者に付与される付与ポイント（スーパーマーケット用ポイント、及び寄付用ポイント）は、前もってコントロール装置３のメモリの蓄積ポイントエリアに蓄積ポイントとして蓄積されている。そして、付与ポイントが付与される毎に、蓄積ポイントから付与ポイントが減算される。さらに、蓄積ポイントの残量が少なくなった場合は、販売管理システム７０から所定ポイントを受取り、この所定ポイントを蓄積ポイントに加算する。この際、所定ポイントはコントロール装置３の図示しない入力部より入力される。このような方法を採用することにより、古紙回収システム６０を販売管理システム７０から独立して構築することができる。そのため、古紙回収システム６０と販売管理システム７０とを通信回線で結ぶシステムとする場合と比較して、ハードウェア、ソフトウェアとも容易に設計することができ、安価で納期が短い上、取り扱い易い古紙回収システム６０を構築することができる。なお、古紙回収施設の管理者は、随時、パーソナルコンピュータ６２、タブレット６３、スマートフォン６４等により蓄積ポイントも監視することができる。
【００３０】
以上の構成をした古紙回収施設を利用者がコントロール装置３を操作して利用する手順について、コントロール装置３の処理手順とともに、図１０に示すフローチャートを用いて説明する。コントロール装置３は、タッチパネル３１に「いずれかを選択してください。」のメッセージ表示とともに、「スーパーマーケット用ポイントボタン」と「寄付用ポイントボタン」とを表示して待機している。利用者は、まず、タッチパネル３１の「スーパーマーケット用ポイントボタン」か「寄付用ポイントボタン」のいずれかをタッチして選択する（ステップＳ１）。利用者により「スーパーマーケット用ポイントボタン」か「寄付用ポイントボタン」のいずれかがタッチされると、コントロール装置３は、いわゆる風袋引き処理を行い、タッチパネル３１の古紙重量表示部に０を表示する。
【００３１】
利用者が「スーパーマーケット用ポイントボタン」をタッチしてスーパーマーケット用ポイントを選択した場合は、利用者は続けてコントロール装置３のカード挿入口３２にカード６を挿入する（ステップＳ２、Ｓ３）。コントロール装置３はカード６を読取り、カード６のチェック等の処理を行う。一方、利用者が「寄付用ポイントボタン」をタッチして寄付用ポイントを選択した場合は、利用者はカード６の挿入の必要はない（ステップＳ２）。
【００３２】
次に、利用者は古紙を持って階段２２を上り、投入台２１の上に立つ。そして、そこからコンテナ１１の中に古紙を投入する（ステップＳ４）。古紙の量が多い場合は、利用者はこの動作を繰り返す。コントロール装置３は、重量計１２により計測された古紙の重量を順次入力して、その都度、古紙の重量に応じた付与ポイントを計算する。そして、コントロール装置３は、タッチパネル３１の古紙重量表示部に古紙の重量を表示するとともに、付与ポイント表示部に計算された付与ポイントを表示する。これにより、利用者は、随時、コンテナ１１の中に投入された古紙の重量と付与ポイントを知ることができる。
【００３３】
コンテナ１１の中にすべての古紙が投入された後、利用者はタッチパネル３１に表示された「終了ボタン」にタッチして、コントロール装置３に古紙投入の終了を知らせる（ステップＳ５）。「終了ボタン」がタッチされると、コントロール装置３は、メモリの蓄積ポイントエリアに記憶されている蓄積ポイントから付与ポイントを減算し、結果を新しい蓄積ポイントとして蓄積ポイントエリアに書き込む。ここで、利用者が寄付用ポイントを選択した場合は、以上で古紙回収施設の利用が終了する（ステップＳ６）。また、利用者がスーパーマーケット用ポイントを選択した場合は、コントロール装置３は、カード６に記憶されているポイントに今回付与された付与ポイントを加算して、結果をカード６に書き込む。そして、カード６をカード挿入口３２から排出する。利用者は、排出されたカード６を受取り、古紙回収施設の利用が終了する（ステップＳ６、Ｓ７）。
【００３４】
実施形態の古紙回収施設においては、建屋４内に設けられた古紙回収用のコンテナ１１を大型化することができるため、大量の古紙を収容することができる。また、利用者は、古紙を持って階段２２を上って投入台２１の上に立ち、その位置からコンテナ１１の中に古紙を投入することができる。そのため、古紙を高い位置に持ち上げてからコンテナ１１の中に投入する必要がなく、簡単かつ便利に施設を利用することができる。そのうえ、古紙が利用者に落下することがなく、安全に施設を利用することができる。
【００３５】
さらには、投入台２１のコンテナ１１側の端部には、利用者の転落を防止する転落防止柵２５がコンテナ１１の側面と平行に設けられているため、より安全に施設を利用することができる。したがって、この古紙収容施設によれば、大量の古紙を収容可能であり、簡便かつ安全に利用することができる。また、この古紙収容施設では、古紙回収用のコンテナ１１が建屋４内に設けられているため、強風の日であっても古紙が散乱することない。
【００３６】
また、この古紙収容施設では、重量計１２のプレート１３にコンテナ１１を案内する長尺状の一対のガイド１４、１５、１６、１７とコンテナ１１の進行を阻止するストッパ１８が設けられている。そして、両ガイド１４、１５、１６、１７は平行、又は略平行に配置され、両ガイド１４、１５、１６、１７の後端１４ｂ、１５ｂ、１６ｂ、１７ｂにはストッパ１８が両ガイド１４、１５、１６、１７と垂直に配置されている。さらに、両ガイド１４、１５、１６、１７は先端１４ａ、１５ａ、１６ａ、１７ａに向かうに従って両ガイド１４、１５、１６、１７間の距離が長くなっている。
【００３７】
これにより、コンテナ１１をガイド１４、１５、１６、１７に沿って容易に移動させることができるとともに、ストッパ１８によりコンテナ１１の停止位置を一定にすることができ、コンテナ１１を確実に所定の位置に載置することができる。また、コンテナ１１と投入台２１との隙間を適切に保つことができるため、利用者が古紙をコンテナ１１に投入し易くなるとともに、利用者の転落や古紙の落下を防止することができる。さらに、コンテナ１１の搬入、搬出に際し、コンテナ１１が投入台２１や建屋４の壁面４ｂに接触するのを防止することができるのみならず、能率的な作業をすることができる。特に、雨の日や雪の日はコンテナ１１が滑りやすいため、これらの効果は絶大である。なお、建屋４の床面４ａにコンテナ１１を案内する長尺状の一対のガイド１４、１５、１６、１７とコンテナ１１の進行を阻止するストッパ１８を設けた場合においても、同様の効果を得ることができる。
【００３８】
さらに、この古紙収容施設では、利用者はタッチパネル３１より、付与ポイントをスーパーマーケット用ポイント、又は寄付用ポイントのいずれかに加算するかを選択可能である。利用者がスーパーマーケット用ポイントを選択した場合は、古紙提供の対価をスーパーマーケット用ポイントの増加として得ることができ、さらなる古紙提供の動機付けとなる。また、寄付用ポイントを選択した場合は、増加した寄付用ポイントにより地域への貢献に寄与することができるという満足感を得ることができ、古紙提供の意義付けとなる。
【００３９】
以上、本発明の古紙回収施設を実施形態に即して説明したが、本発明はこれらに制限されるものではなく、本発明の技術的思想に反しない限り、適宜変更して適用できることはいうまでもない。例えば、本実施形態においては、古紙回収施設の設置店をスーパーマーケットとしているが、これに限られることはなく、ドラッグストア、ホームセンター等としてもよい。
【符号の説明】
【００４０】
１…古紙収容部、２…古紙投入部、３…コントロール装置、４…建屋、４ａ…床面、１１…コンテナ、１２…重量計、１３、１３ａ…プレート、１４、１５、１６、１７…ガイド、１４ａ、１５ａ、１６ａ、１７ａ…先端、１４ｂ、１５ｂ、１６ｂ、１７ｂ…後端、１８、…ストッパ、２１…投入台、２１ａ…上面、２２…階段、２５…転落防止柵、３１…タッチパネル。
【図１】
2017081667.tif 000003
【図２】
2017081667.tif 000004
【図３】
2017081667.tif 000005
【図４】
2017081667.tif 000006
【図５】
2017081667.tif 000007
【図６】
2017081667.tif 000008
【図７】
2017081667.tif 000009
【図８】
2017081667.tif 000010
【図９】
2017081667.tif 000011
【図１０】
2017081667.tif 000012